(57)【要約】【課題】容器本体の口頸部（２）から蓋（４）を離脱せしめた時に蓋フランジ（３２）の延出片（３４）が過剰に半径方向外方に変位することが可及的に抑制され、そしてまた蓋フランジの延出片が部分的に分離されてしまうことが回避されるようになすために、延出片の数を比較的小さくすると共に、比較的幅広である延出端部（４４）の周方向長さを比較的長くした場合でも、口頸部フランジ（１０）の被係止手段（１２）に対する蓋フランジの延出片における延出端部の係止強度を適切な値にせしめることができる合成樹脂製蓋及びかかる蓋と容器本体との組み合わせから構成された容器を提供する。【解決手段】蓋フランジにおいて、第一の周方向延出部（３８）及び第二の周方向延出部（４２）の幅よりも大きい幅を有する延出端部（４４）の下面に少なくとも１個の溶着凸部（４５）を形成し、延出端部の下面全体ではなくて溶着凸部のみを口頸部フランジの被係止手段に係止せしめる【選択図】図１
2011063294.tif 000002
【特許請求の範囲】
【請求項１】
合成樹脂から形成され且つ円形天面壁及び該天面壁の周縁から垂下する円筒形スカート壁を有し、該スカート壁の内周面には雌螺条が形成されている蓋において、
該スカート壁の外周面には蓋フランジが形成されており、該蓋フランジは周方向に間隔をおいて該スカート壁の該外周面の下端部から延出する複数個の延出片と、隣接する該延出片を接続している易破断接続片を有し、該延出片の各々は該スカート壁の該外周面の下端部に接続された接続基部、該接続基部から周方向片方向に延びる第一の周方向延出部、周方向他方向に延びる第二の周方向延出部及び該第二の周方向延出部に続いて周方向他方向に延びる延出端部を含み、
該延出端部の幅は該第一の周方向延出部及び該第二の周方向延出部の幅よりも大きく、該延出端部の下面には少なくとも１個の溶着凸部が形成されている、
ことを特徴とする蓋。
【請求項２】
該延出端部の下面には周方向に間隔をおいて複数個の該溶着凸部が形成されている、請求項１記載の蓋。
【請求項３】
該蓋フランジは２乃至５個の該延出片を含み、該延出片の各々における該延出端部は該易破断接続片間の周方向長さの５０％以上の長さに渡って周方向に延在している、請求項１又は２記載の蓋。
【請求項４】
該蓋フランジの該延出片の各々は、該第一の周方向延出部の延出端から半径方向外方に延びる接続部を含み、該第二の周方向延出部は該接続部の延出端から該周方向他方向に延び、該第一の周方向延出部の周方向長さと該第二の延出端部の周方向長さとは略同一である、請求項１から３までのいずれかに記載の蓋。
【請求項５】
該易破断接続片は該延出片の該延出端部と隣接する延出片の該接続部とを接続している、請求項４記載の蓋。
【請求項６】
円筒形口頸部を有する容器本体と請求項１から５までのいずれかに記載の蓋とから構成され、該容器本体の該口頸部の外周面には該蓋の該雌螺条と協働する雄螺条が形成されている容器において、
該容器本体の該口頸部の外周面には該雄螺条の下方において半径方向外方に延出する口頸部フランジが形成されており、該口頸部フランジの上面には上方に突出する複数個の被係止手段が形成されており、
該容器本体の該口頸部を該蓋によって密封する際には、該容器本体の該口頸部に該蓋を被嵌し該口頸部に対して該蓋を閉方向に相対的に回転せしめて該雄螺条に該雌螺条を螺合せしめることによって該容器本体の該口頸部に該蓋が装着され、かくして該蓋フランジの該延出片の各々の該延出端部の該溶着凸部が該口頸部フランジの該被係止手段の各々に対向して位置せしめられ、しかる後に該延出端部の該溶着凸部を加熱することによって該溶着凸部が該被係止手段に係止せしめられ、
該容器本体の該口頸部を開封する際には、該口頸部に対して該蓋を開方向に回転せしめることによって、該蓋フランジの該易破断接続片が破断され、該延出片が変形されて該蓋フランジの該延出片の各々の該延出端部が該スカート壁の下端に対して相対的に下方に変位され、しかる後に該口頸部フランジの該被係止手段から該蓋フランジの該延出片の該延出端部が離脱される、
ことを特徴とする容器。
【請求項７】
該容器本体は該蓋を形成している合成樹脂とは異なった合成樹脂から形成されている、請求項６記載の容器。
【発明の詳細な説明】
【技術分野】
【０００１】
本発明は、合成樹脂から形成された蓋及びかかる蓋と容器本体とから構成された容器、更に詳しくは容器本体の口頸部が一旦開封されるとかかる事実を明示するタンパーエビデント特性を備えた蓋及び蓋と容器本体とから構成された容器に関する。
【背景技術】
【０００２】
飲料用容器として、ポリエチレンテレフタレートの如き適宜の合成樹脂、ガラス或いは金属薄板から形成された容器本体と合成樹脂から形成された蓋との組合から構成された容器が広く実用に供されている。容器は円筒形口頸部を有し、この口頸部の外周面には雄螺条が形成されている。蓋は円形天面壁及びこの天面壁の周縁から垂下する円筒形スカート壁を有し、スカート壁の内周面には雌螺条が形成されている。容器の口頸部に蓋を被嵌し蓋を閉方向に回転せしめて口頸部の雄螺条に蓋の雌螺条を螺合せしめることによって、口頸部に容器蓋が装着され口頸部が密封される。口頸部を開封する際には、蓋を開方向に回転せしめて口頸部の雄螺条に対する蓋の雌螺条の螺合を解除して口頸部から蓋を離脱せしめる。
【０００３】
而して、上述した形態の容器は、悪戯によって蓋が開方向に回転せしめられ口頸部の密封が解除されてしまった場合には、かかる事実が明示される所謂タンパーエビデント特性を備えていることが重要である。容器にタンパーエビデント特性を付与せしめるための典型的技法においては、容器本体の口頸部の外周面に雄螺条の下方に位置する係止あご部を形成すると共に、蓋のスカート壁に周方向に延在する破断可能ラインを形成してスカート壁をこの破断可能ラインよりも上方の主部と下方のタンパーエビデント裾部とに区画し、タンパーエビデント裾部の内周面に上記係止あご部と協働する係止手段を形成する。容器本体の口頸部に蓋を所要とおりに装着すると、蓋の係止手段が口頸部の係止あご部に係止せしめられる。蓋を開方向に回転せしめると、口頸部の雄螺条に沿って蓋の雌螺条が移動せしめられることによって蓋は回転と共に上昇せしめられる。しかしながら、タンパーエビデント裾部はその内周面に形成されている係止手段が口頸部の係止あご部に係止せしめられている故に上昇が阻止され、これによって上記破断可能ラインに応力が生成されて破断可能ラインが破断され、かくして蓋が開方向に回転せしめられたことが明示される。
【０００４】
然るに、上記典型的技法によるタンパーエビデント特性の賦与においては、特に蓋のスカート壁の下部にタンパーエビデント裾部を配設しその内周面に係止手段を形成することが必要であることに起因して、蓋を製造するための必要合成樹脂量が比較的大きく、製造コストを充分に低減せしめることが困難であり、そしてまた蓋の全高が比較的大きくなり、これに付随して容器本体の口頸部の高さも比較的大きくなり、かかる点からも製造コストの低減が困難である。
【０００５】
上記典型的技法における上記のとおりの問題を解決する技法として、下記特許文献１、２及び３には、容器本体の口頸部の適宜部位と蓋の適宜部位とを、例えば溶着によって相互に係止せしめることが提案されている。蓋を開方向に回転せしめると、容器本体の口頸部と蓋との相互係止が解除され或いは蓋に形成されている破断可能ラインが破断され、かくして蓋が開方向に回転せしめられたことが明示される。
【先行技術文献】
【特許文献】
【０００６】
【特許文献１】実開昭６１−１６９０４６号公報
【特許文献２】特開２００２−３０２１３３号公報
【特許文献３】国際公開ＷＯ２００５／０８５０７７号公報
【発明の概要】
【発明が解決しようとする課題】
【０００７】
本発明者等の経験によれば、上記特許文献１、２及び３に開示されている技法には、（１）容器本体の口頸部を開封する際に蓋に加えなければならないトルク、特に蓋を開方向に回転する際の初期トルクが相当大きく、特に女性乃至子供にとって開封操作が相当困難である、及び／又は（２）蓋が開方向に回転されたことを示す痕跡、即ち容器本体の口頸部と蓋との相互係止の解除、が必ずしも明確に表示されず、タンパーエビデント特性が不充分である、という解決すべき問題が存在する。蓋を開方向に回転する際の初期トルクが過大になる原因は、所要密封部位が容器本体の口頸部に密接にされている蓋を口頸部に対して回転開始するための必要トルクと共に容器本体の口頸部と蓋との相互係止を解除するための必要トルクとの双方が回転開始初期に同時に必要とされることによる。
【０００８】
かかる事実に鑑み、本発明者等は、先に、特願２００９−１３７１４１号において、蓋を製造するための必要合成樹脂量を充分に低減し且つ蓋の全高（及び容器本体の口頸部の高さ）を低減することができることに加えて、容器本体の口頸部を開封する際に必要とされるトルクを適切な値にせしめることができ、そしてまた蓋が開方向に回転された場合にはかかる事実が明確に表示される、新規且つ改良された合成樹脂製蓋及びかかる蓋と容器本体との組み合わせから構成された容器を提供した。
【０００９】
本発明者等が先に提案した蓋は、合成樹脂から形成され且つ円形天面壁及び該天面壁の周縁から垂下する円筒形スカート壁を有し、該スカート壁の内周面には雌螺条が形成されており、該スカート壁の外周面には蓋フランジが形成されており、該蓋フランジは周方向に間隔をおいて該スカート壁の該外周面の下端部から延出する複数個の延出片と、隣接する該延出片を接続している易破断接続片を有し、該延出片の各々は該スカート壁の該外周面の下端部に接続された接続基部、該接続基部から周方向片方向に延びる第一の周方向延出部、半径方向に延出する接続部を介して該第一の周方向延出部に接続され周方向他方向に延びる第二の周方向延出部及び延出端部を含む。また、本発明者等が先に提案した容器は、上記蓋と共に円筒形口頸部を有する容器本体とから構成され、該容器本体の該口頸部の外周面には該蓋の該雌螺条と協働する雄螺条が形成されている容器において、該容器本体の該口頸部の外周面には該雄螺条の下方において半径方向外方に延出する口頸部フランジが形成されており、該口頸部フランジの上面には上方に突出する複数個の被係止手段が形成されており、該容器本体の該口頸部を該蓋によって密封する際には、該容器本体の該口頸部に該蓋を被嵌し該口頸部に対して該蓋を閉方向に相対的に回転せしめて該雄螺条に該雌螺条を螺合せしめることによって該容器本体の該口頸部に該蓋が装着され、かくして該蓋フランジの該延出片の各々の該延出端部が該口頸部フランジの該被係止手段の各々に対向して位置せしめられ、しかる後に該延出端部を加熱することによって該延出端部が該被係止手段に係止せしめられ、該容器本体の該口頸部を開封する際には、該口頸部に対して該蓋を開方向に回転せしめることによって、該蓋フランジの該易破断接続片が破断され、該延出片が変形されて該蓋フランジの該延出片の各々の該延出端部が該スカート壁の下端に対して相対的に下方に変位され、しかる後に該口頸部フランジの該被係止手段から該蓋フランジの該延出片の該延出端部が離脱される及び／又は該延出片が破断される。
【００１０】
然るに、本発明者等が先に提案した上記蓋及び容器について、検討を重ねた結果、容器本体の口頸部から蓋を離脱せしめた時に、蓋フランジの延出片の各々が過剰に半径方向外方に変位し蓋の外観が不恰好になってしまう、或いは蓋フランジの延出片が部分的に分離されて偶発的に容器内に混入されてしまう虞があることが判明した。
【００１１】
本発明者等は、更に検討を重ねた結果、本発明者等が先に提案した蓋及び容器における上述したとおりの問題は、蓋フランジにおける延出片の数が比較的多いこと、比較的幅広の延出端部の周方向長さが短いことに起因し、従って延出片の数を比較的小さくする（従って易破断可能接続片間の周方向長さを大きくする）と共に、比較的幅広である延出端部の周方向長さを比較的長くすることによって解決することができることを認識した。しかしながら、延出片の数を比較的小さくする（従って易破断可能接続片間の周方向長さを大きくする）と共に、比較的幅広である延出端部の周方向長さを比較的長くすると、容器本体の口頸部フランジの被係止手段に対する蓋フランジの延出片における延出端部の係止強度が過大になることが判明した。
【００１２】
本発明は上記事実に鑑みてなされたものであり、その主たる技術的課題は、本発明者等が先に提案した蓋及び容器を改良して、容器本体の口頸部から蓋を離脱せしめた時に蓋フランジの延出片が過剰に半径方向外方に変位することが可及的に抑制され、そしてまた蓋フランジの延出片が部分的に分離されてしまうことが回避するために、延出片の数を比較的小さくすると共に、比較的幅広である延出端部の周方向長さを比較的長くした場合でも、口頸部フランジの被係止手段に対する蓋フランジの延出片における延出端部の係止強度を適切な値にせしめることができるようになすことである。
【課題を解決するための手段】
【００１３】
本発明者等は、更に鋭意検討を重ね、蓋フランジにおいて、第一の周方向延出部及び第二の周方向延出部の幅よりも大きい幅を有する延出端部の下面に少なくとも１個の溶着凸部を形成し、延出端部の下面全体ではなくて溶着凸部のみを口頸部フランジの被係止手段に係止せしめることによって、口頸部フランジの被係止手段に対する蓋フランジの延出片における延出端部の係止強度を適切な値に低減乃至調整することができることを見出した。
【００１４】
本発明の一局面によれば、上記技術的課題を解決する蓋として、合成樹脂から形成され且つ円形天面壁及び該天面壁の周縁から垂下する円筒形スカート壁を有し、該スカート壁の内周面には雌螺条が形成されている蓋において、
該スカート壁の外周面には蓋フランジが形成されており、該蓋フランジは周方向に間隔をおいて該スカート壁の該外周面の下端部から延出する複数個の延出片と、隣接する該延出片を接続している易破断接続片を有し、該延出片の各々は該スカート壁の該外周面の下端部に接続された接続基部、該接続基部から周方向片方向に延びる第一の周方向延出部、周方向他方向に延びる第二の周方向延出部及び該第二の周方向延出部に続いて周方向他方向に延びる延出端部を含み、
該延出端部の幅は該第一の周方向延出部及び該第二の周方向延出部の幅よりも大きく、該延出端部の下面には少なくとも１個の溶着凸部が形成されている、
ことを特徴とする蓋が提供される。
【００１５】
本発明の他の局面によれば、上記技術的課題を達成する容器として、上述したとおりの蓋と円筒形口頸部を有する容器本体とから構成され、該容器本体の該口頸部の外周面には該蓋の該雌螺条と協働する雄螺条が形成されている容器において、
該容器本体の該口頸部の外周面には該雄螺条の下方において半径方向外方に延出する口頸部フランジが形成されており、該口頸部フランジの上面には上方に突出する複数個の被係止手段が形成されており、
該容器本体の該口頸部を該蓋によって密封する際には、該容器本体の該口頸部に該蓋を被嵌し該口頸部に対して該蓋を閉方向に相対的に回転せしめて該雄螺条に該雌螺条を螺合せしめることによって該容器本体の該口頸部に該蓋が装着され、かくして該蓋フランジの該延出片の各々の該延出端部の該溶着凸部が該口頸部フランジの該被係止手段の各々に対向して位置せしめられ、しかる後に該延出端部の該溶着凸部を加熱することによって該溶着凸部が該被係止手段に係止せしめられ、
該容器本体の該口頸部を開封する際には、該口頸部に対して該蓋を開方向に回転せしめることによって、該蓋フランジの該易破断接続片が破断され、該延出片が変形されて該蓋フランジの該延出片の各々の該延出端部が該スカート壁の下端に対して相対的に下方に変位され、しかる後に該口頸部フランジの該被係止手段から該蓋フランジの該延出片の該延出端部が離脱される、
ことを特徴とする容器が提供される。
【００１６】
該延出端部の下面には周方向に間隔をおいて複数個の該溶着凸部が形成されているのが好適である。好ましくは、該蓋フランジは２乃至５個の該延出片を含み、該延出片の各々における該延出端部は該易破断接続片間の周方向長さの５０％以上の長さに渡って周方向に延在している。該蓋フランジの該延出片の各々は、該第一の周方向延出部の延出端から半径方向外方に延びる接続部を含み、該第二の周方向延出部は該接続部の延出端から該周方向他方向に延び、該第一の周方向延出部の周方向長さと該第二の延出端部の周方向長さとは略同一であるのが好ましい。該易破断接続片は該延出片の該延出端部と隣接する延出片の該接続部とを接続しているのが好適である。該容器本体は該蓋を形成している合成樹脂とは異なった合成樹脂から形成されているのが好都合である。
【発明の効果】
【００１７】
本発明によれば、本発明者等が先に提案した上記蓋及び容器における問題、即ち容器本体の口頸部から蓋を離脱せしめた時に蓋フランジの延出片が過剰に半径方向外方に変位することが可及的に抑制され、そしてまた蓋フランジの延出片が部分的に分離されてしまうという問題を回避するために、延出片の数を比較的小さくすると共に、比較的幅広である延出端部の周方向長さを比較的長くした場合でも、蓋フランジの延出片における延出端部はその下面に形成されている溶着凸部のみで口頸部フランジの被係止手段に溶着され、かくして口頸部フランジの被係止手段に対する蓋フランジの延出片における延出端部の係止強度を適切な値にせしめることができる。
【図面の簡単な説明】
【００１８】
【図１】本発明に従って構成された容器における容器本体の口頸部と蓋とを、口頸部に蓋を装着する前の状態で示す斜面図。
【図２】図１に示す口頸部を、一部を断面で示す正面図。
【図３】図１に示す口頸部の平面図。
【図４】図１に示す蓋を、一部を断面で示す正面図。
【図５】図１に示す蓋の平面図。
【図６】図１に示す蓋における延出片の下面を示す斜面図。
【図７】図１に示す口頸部に図１に示す蓋を装着した状態を、一部を断面で示す正面図。
【図８】（ａ）、（ｂ）及び（ｃ）は、夫々、図７に示す状態から蓋を開方向に漸次回転せしめた時の状態変化を示す正面図。
【図９】図７に示す状態から蓋を開方向に回転せしめて口頸部から離脱した後に、蓋４を再び口頸部に装着した状態を示す斜面図。
【発明を実施するための形態】
【００１９】
図１には、本発明に従って構成された容器の好適実施形態における容器本体の口頸部２及びこの口頸部２に適用される蓋４が図示されている。
【００２０】
図１と共に図２及び図３を参照して説明すると、ポリエチレンテレフタレートの如き適宜の合成樹脂から形成されているのが好都合である図示の容器本体は、全体として円筒形状である口頸部２を有する。口頸部２の外周面には雄螺条６が形成されている。口頸部２の外周面には、更に、雄螺条６の下方において半径方向外方に延出する口頸部フランジ１０が形成されており、この口頸部フランジ１０の上面には上方に突出する複数個の被係止手段１２が形成されていることが重要である。図示の実施形態においては、口頸部フランジ１０は円環板形状であり、かかる口頸部フランジ１０の上面上には被係止手段１２を構成する多数の突条が配設されている。これらの突条は相互に平行に延在せしめられている。口頸部フランジ１０の上面の全体に渡って被係止手段１２を構成する突条を形成することに代えて、容器蓋４における後述する延出片の延出端部が対向して位置する部位のみに非係止手段１２を構成する突条を形成することもできる。口頸部フランジ１０の上面には、更に、その上面の外周縁部に雄螺条６の上端の角度位置に対応して略三角形状の凹部１４が形成されている。
【００２１】
図１と共に図４及び図５を参照して説明を続けると、容器本体と同一の合成樹脂から形成することもできるが、口頸部２に対する密封性及び成形の容易性等の点から容器本体とは異なった合成樹脂、例えばポリプロピレン又はポリエチレンの如き適宜の合成樹脂から形成されているのが好都合である蓋４は、円形天面壁１６及びこの天面壁１６の周縁から垂下する円筒形スカート壁１８を有する。天面壁１６の内面における外周縁部には下方に延出する２条の筒状シール片、即ち外側筒状シール片２０及び内側筒状シール片２２が配設されている。更に、天面壁１６の内面における中央領域には周方向に間隔をおいて半径方向に延びる複数個の突起２４が形成されている（図６にそのうちの３個が図示されている）。スカート壁１８の内周面には雌螺条２６が形成されている。天面壁１６の外面外周縁部からスカート壁１８の外周面下端部までの領域には、そこに掛けられる指の滑りを防止するための多数の凹凸３０が形成されている。
【００２２】
図１と共に図４乃至図６を参照して説明を続けると、スカート壁１８の外周面にはその下端部から半径方向外方に延出する蓋フランジ３２が形成されていることが重要である。図示の実施形態においては、蓋フランジ３２は全体として円環板形状であり、周方向に等間隔をおいてスカート壁１８の下端から延出する複数個、好ましくは２乃至５個、図示の場合は３個、の延出片３４を含んでいる。延出片３４の各々は、スカ−ト壁１８の外周面に接続された接続基部３６、かかる接続基部３６から閉方向（図５において時計方向で、後述するとおりにして容器の口頸部２に蓋４を装着する際の蓋４の回転方向）に円弧状に延びる第一の周方向延出部３８、第一の周方向延出部３８の延出端から半径方向外方に延出する接続部４０、接続部４０の延出端から開方向（図５において反時計方向で後述するとおりにして容器本体の口頸部２を開封する際の蓋４の回転方向）に円弧状に延出する第二の周方向延出部４２及び第二の周方向延出部４２の延出端から更に開方向に円弧状に延出する延出端部４４を有する。延出端部４４の周方向延在長さは延出片３４の周方向長さ（即ち後述する易破段接続片間の長さ）の少なくとも５０％以上の長さに渡って延びているのが好都合である。図示の実施形態においては、第一の周方向延出部３８の周方向長さは延出片３４の周方向長さ略２５％程度であり、第二の周方向延出部４２の周方向長さは第一の周方向延出部３８の周方向長さよりも若干長く、延出端部４４の周方向長さは延出片３４の延出長さの７０乃至７５％である。図５を参照することによって明確に理解される如く、第一の周方向延出部３８、接続部４０及び第二の周方向延出部４２の幅は比較的小さく、延出端部４４の幅は比較的大きく設定されている。
【００２３】
延出片３４の各々の延出端部４４の下面には少なくとも１個の溶着凸部４５が形成されていることが重要である。図１及び図５と共に図６を参照することによって明確に理解される如く、図示の実施形態においては、延出端部４４の各々の下面には周方向に等間隔をおいて４個の溶着凸部４５が形成されている。溶着凸部４５の各々は矩形状であり、その幅は延出端部４４の幅と実質上同一である。
【００２４】
蓋フランジ３２は、更に、延出片３４を順次に接続する（換言すれば、隣接する延出片３４間を接続する）複数個、図示の場合は３個、の易破断接続片４６を含んでいる。図示の実施形態においては、易破断接続片４６は隣接する延出片３４の一方の延出端部４４と接続部４０とを接続している。易破断接続片４６の横断面積は充分に小さく、易破断接続片４６の破断強度は比較的小さい。
【００２５】
図１と共に図７を参照して説明を続けると、容器本体内に清涼飲料の如き内容物を充填した後に容器本体の口頸部２に蓋４を装着して口頸部２を密封する際には、口頸部２に蓋４を被嵌し蓋４を閉方向、即ち図７において上方から見て時計方向、に回転せしめ、かくして口頸部２の雄螺条６に蓋４の雌螺条２６を螺合せしめる。蓋４は閉方向への回転と共に下方に移動せしめられ、そして雄螺条６に雌螺条２６を所要トルクで充分に螺合せしめると、図７に明確に図示する如く、蓋４の天面壁１６の内面に形成されている外側筒状シール片２０及び内側筒状シール片２２が、夫々、口頸部２の外周面及び内周面に密接せしめられて口頸部２が密封される。そしてまた、蓋フランジ３２の延出片３４の各々の延出端部４４の下面に形成されている溶着凸部４５の各々が口頸部フランジ１０の被係止手段１２に当接乃至近接せしめられる。しかる後に、延出端部４４の各々の溶着凸部４５を口頸部フランジ１０の被係止手段１２に押圧し局部的に加熱する。かくすると、溶着凸部４５が軟化乃至溶融せしめられて、溶着凸部４５が被係止手段１２を包み込む状態に変形され、かくして延出端部４４が被係止手段１２に係止せしめられる。延出端部４４の各々に形成されている溶着凸部４５が軟化乃至溶融されると、溶着凸部４５が被係止手段１２に溶着されるが、一般に、蓋４を形成している合成樹脂と容器本体を形成している合成樹脂が異なるものである場合には、上記溶着は生成されるとしても溶着強度は著しく小さい。一方、蓋４を形成している合成樹脂と容器本体を形成している合成樹脂とが実質上同一のもの或いは近似したものである場合には、溶着凸部４５と被係止手段１２との溶着は比較的強くなる。いずれの場合においても、延出端部４４の周方向長さは比較的長く且つ延出端部４４の幅は比較的大きいが、延出端部４４の下面全体ではなくて溶着凸部４５のみが係止手段１２に溶着される故に、口頸部フランジ１０の被係止手段１２に対する蓋フランジ３２の延出片３４における延出端部４４の係止強度を過大にせしめることなく適宜の値にすることができる。溶着凸部４５の局部的加熱は、超音波溶着機として市販されている超音波発振手段によって溶着凸部４５の各々に超音波を施すことによって好都合に遂行することができる。
【００２６】
容器内容物を消費するために容器本体の口頸部２を開封する際には、蓋４を開方向、即ち図７において上方から見て反時計方向、に回転せしめる。容器本体の口頸部２に対して蓋４が開方向に回転せしめられると、蓋フランジ３２の延出片３４の各々における接続基部３６は蓋４の回転に付随して開方向に移動せしめられる。一方、延出端部４４はその下面に形成されている溶着凸部４５が口頸部フランジ１０の被係止手段１２に係止せしめられている故に開方向への移動が阻止される。蓋４が図８（ａ）に図示される位置まで開方向に回転せしめられると、蓋フランジ３２の延出片３４及び易破断接続片４６の各々は弾性的に若干伸張せしめられ、そしてまた延出片３４の各々における第一の周方向延出部３８及び第二の周方向延出部４２が、夫々、開方向に向かって下方及び上方に傾斜せしめられる。蓋４の開方向への回転が更に進行すると、図８（ｂ）に図示する如く、蓋フランジ３２における易破断接続片４６が破断され、そしてまた延出片３４の各々における第一の周方向延出部３８及び第二の周方向延出部４２の傾斜が増大せしめられる。蓋４の開方向への回転が更に進行すると、図８（ｃ）に図示する如く、蓋フランジ３２の延出片３４の各々における延出端部４４の下面に形成されている溶着凸部４５が口頸部フランジ１０の被係止手段１２から各々離脱される。かくすると、蓋フランジ３２の延出片３４の各々における第一の周方向延出部３８及び第二の周方向延出部４２の傾斜は弾性的復元によって低減せしめられる（図９を参照されたい）。蓋フランジ３２の延出片３４の各々における延出端部４４が口頸部フランジ１０の被係止手段１２から離脱された後においては、蓋４の開方向への回転に応じて蓋４の全体が上昇せしめられ、蓋４が口頸部２から離脱されて口頸部２が開封される。蓋フランジ３２の易破断接続片４６の破断は蓋４の開方向への回転開始と同時ではなくて蓋４の開方向の回転が幾分進行した時点で遂行され、そしてまた蓋フランジ３２の延出片３４の各々における延出端部４４の下面に形成されている溶着凸部４５が口頸部フランジ１０の被係止手段１２から離脱されるのは蓋４の開方向への回転が更に進行した時点である。かような次第であるので、蓋４の開方向への回転開始時、蓋フランジ３２の易破断接続片４６の破断時、及び口頸部フランジ１０の被係止手段１２からの蓋フランジ３２の溶着凸部４５の各々の離脱時に、蓋４に加えるべきトルクが過大になることはない。容器本体の口頸部２から離脱せしめられた蓋４においては、図９に明確に図示する如く、蓋フランジ３２における易破断接続片４６の各々が破断されていると共に、蓋フランジ３２の延出片３４の各々の第一周方向延出部３６及び第二の周方向延出部４０が水平に延在するのではなくて幾分傾斜して延在する状態に変形されており、それ故に蓋４が開方向に回転され容器本体の口頸部２が開封されていることが明示される。延出片３４の数を比較的小さくする（従って易破断可能接続片４６間の周方向長さを大きくする）と共に、比較的幅広である延出端部４４の周方向長さを比較的長くすると、容器本体の口頸部２から蓋４を離脱せしめた時に、蓋フランジ３２の延出片３４の各々が過剰に半径方向外方に変位し蓋４の外観が不恰好になってしまうことが回避され、そしてまた蓋フランジ３２の延出片３４が部分的に分離されて偶発的に容器内に混入されてしまうことが充分に防止される。
【００２７】
容器本体内の内容物を幾分か残留せしめた状態で口頸部２を仮密封することが望まれる場合には、図９に図示する如く、口頸部２に再び蓋４を被嵌し、蓋４を閉方向に回転せしめて蓋４の雌螺条２６を口頸部２の雄螺条６に所要とおりに螺合せしめ、かくして蓋４の天面壁１６の内面に形成されている外側筒状シール片２０及び内側筒状シール片２２を、夫々、口頸部２の外周面及び内周面に密接せしめればよい。
【符号の説明】
【００２８】
２：容器本体の口頸部
４：蓋
６：雄螺条
１０：口頸部フランジ
１２ａ乃至１２ｈ：被係止手段
１６：天面壁
１８：スカート壁
２６：雌螺条
３２：蓋フランジ
３４：延出片
３６：接続基部
３８：第一の周方向延出部
４０：接続部
４２：第二の周方向延出部
４４：延出端部
４５：溶着凸部
４６：易破断接続片
【図１】
2011063294.tif 000003
【図２】
2011063294.tif 000004
【図３】
2011063294.tif 000005
【図４】
2011063294.tif 000006
【図５】
2011063294.tif 000007
【図６】
2011063294.tif 000008
【図７】
2011063294.tif 000009
【図８】
2011063294.tif 000010
【図９】
2011063294.tif 000011